(57)【特許請求の範囲】
【請求項１】
撮影レンズと、前記撮影レンズに付随して設けられた撮影レンズ絞りとを備え、ユニット本体にシャッタを含む撮影機構が組み込まれ、前記ユニット本体内には、写真フィルムの一端を係止した回転自在なスプール軸を有するパトローネを収納するためのパトローネ収納室と、前記パトローネから引き出して形成した未露光写真フィルムのロールを収納するためのフィルムロール収納室とが形成され、製造時にパトローネと該パトローネから引き出された未露光写真フィルムのロールがそれぞれ前記パトローネ収納室と前記フィルムロール収納室に予め装填され、未露光フィルム部分が前記フィルムロール室と前記パトローネ室の間で露光領域を定める露光枠により位置決めされ、撮影ごとに前記スプール軸を回転させて露光済みの写真フィルムをパトローネに巻き込むようになっており、前記撮影レンズ絞りと前記露光枠の間に周辺光線を遮断するための固定遮光枠が配置されたレンズ付きフィルムユニットであって、
前記撮影レンズ絞りの実効径が可変に形成され、該実効径が大きい場合の撮影レンズ絞りから前記露光領域に至る撮影光の画角が、実効径が小さい場合の撮影光の画角より小さくなるようになっており、
前記露光領域の周辺部の所定割合を非プリント領域とし、前記撮影レンズ絞りの実効径が大きい状態における該非プリント領域の内周縁と前記撮影レンズ絞りとを結ぶ周辺光線と、前記撮影レンズ絞りの実効径が小さい状態における該撮影レンズ絞りと前記露光領域の外周とを結ぶ周辺露光光線との間の交差点より撮影レンズ絞り側に前記固定遮光枠が配置され、前記遮光枠は、前記撮影レンズ絞りの実効径が大きい状態において、該非プリント領域の内周縁と前記撮影レンズ絞りとを結ぶ周辺光線より外側の撮影光を少なくとも一部遮断する大きさである、ことを特徴とするレンズ付きフィルムユニット。
【請求項２】
請求項１に記載したレンズ付きフィルムユニットであって、前記撮影レンズ絞りの実効径は、該撮影レンズの光軸方向の移動により生じるようになったことを特徴とするレンズ付きフィルムユニット。
【請求項３】
請求項２に記載したレンズ付きフィルムユニットであって、前記撮影レンズは固定焦点距離レンズであり、前記撮影レンズの光軸方向の移動はピント設定位置の変更のために行われることを特徴とするレンズ付きフィルムユニット。
【請求項４】
請求項２に記載したレンズ付きフィルムユニットであって、前記撮影レンズは可変焦点距離レンズであり、前記撮影レンズの光軸方向の移動は焦点距離の変更のために行われることを特徴とするレンズ付きフィルムユニット。
【請求項５】
請求項１に記載したレンズ付きフィルムユニットであって、前記撮影レンズ絞りの実効径は、該撮影レンズ絞りの絞り径を変更することによって行われることを特徴とするレンズ付きフィルムユニット。
【請求項６】
請求項１から請求項５までのいずれか１項に記載したレンズ付きフィルムユニットであって、前記交差点より前記露光領域寄りに第２の遮光枠が設けられ、この第２の遮光枠は、前記撮影レンズ絞りの実効径が小さい状態において、前記露光領域の外周縁部と前記撮影レンズ絞りとを結ぶ周辺露光光線より外側の撮影光を遮断する大きさであることを特徴とするレンズ付きフィルムユニット。
【請求項７】
固定焦点距離の撮影レンズと、前記撮影レンズに付随して設けられた固定絞り径の撮影レンズ絞りとを備え、ユニット本体にシャッタを含む撮影機構が組み込まれ、前記ユニット本体内には、写真フィルムの一端を係止した回転自在なスプール軸を有するパトローネを収納するためのパトローネ収納室と、前記パトローネから引き出して形成した未露光写真フィルムのロールを収納するためのフィルムロール収納室とが形成され、製造時にパトローネと該パトローネから引き出された未露光写真フィルムのロールがそれぞれ前記パトローネ収納室と前記フィルムロール収納室に予め装填され、未露光フィルム部分が前記フィルムロール室と前記パトローネ室の間で露光領域を定める露光枠により位置決めされ、撮影ごとに前記スプール軸を回転させて露光済みの写真フィルムをパトローネに巻き込むようになっており、前記撮影レンズ絞りと前記露光枠の間に周辺光線を遮断するための固定遮光枠が配置されたレンズ付きフィルムユニットであって、
前記撮影レンズがピント設定位置切り換えのため光軸方向に移動可能で、撮影レンズが繰り出し側位置にある場合の撮影レンズ絞りから前記露光領域の外周に至る撮影光の画角が、該撮影レンズが引っ込み側位置にある場合の撮影光の画角より小さくなるように構成され、
前記露光領域の周辺部の所定割合を非プリント領域とし、前記撮影レンズの繰り出し側位置における該非プリント領域の内周縁と前記撮影レンズ絞りとを結ぶ周辺光線と、前記撮影レンズの引っ込み側位置における該撮影レンズ絞りと前記露光領域の外周とを結ぶ周辺露光光線との間の交差点より撮影レンズ絞り側に前記固定遮光枠が配置され、前記遮光枠は、前記撮影レンズの繰り出し側位置において、該非プリント領域の内周縁と前記撮影レンズ絞りとを結ぶ周辺光線より外側の撮影光を少なくとも一部遮断する大きさである、
ことを特徴とするレンズ付きフィルムユニット。
【発明の詳細な説明】
【０００１】
【発明の属する技術分野】
本発明は、レンズ付きフィルムユニットに関する。特に本発明は、撮影レンズが光軸方向に移動させられるか、撮影レンズ絞りの絞り径が変更されることにより、撮影レンズ絞りの実効径が変更されるようになったレンズ付きフィルムユニットに関する。
【０００２】
【従来の技術】
撮影レンズ及びシャッタを含む撮影機構が組み込まれ、製造の時点で予め未露光フィルムのロールがユニット本体内に装填されたレンズ付きフィルムユニットは、例えば、実用新案登録掲載公報第2,564,847 号公報に記載されている。このレンズ付きフィルムユニットは、撮影の度ごとに露光済みのフィルムがパトローネ内に巻き込まれていくように構成されており、ユーザは、ユニットを購入して撮影し、撮影終了後にそのままの状態で現像所に現像依頼をすればよく、簡便な撮影機能製品として広く市場に受け入れられている。
【０００３】
このレンズ付きフィルムユニットには、構造を簡単にし、製造価格を低く抑制できるようにするために、通常は、撮影レンズとして単玉又は２枚構成レンズが使用される。この撮影レンズは、ユニット本体に固定されて、特定の一点のみにピント合わせされた状態にある。したがって、ピント合わせされた距離にない被写体に対しては、撮影レンズの被写界深度を深くすることによっていわゆるピンぼけ状態を避けるようにする。しかし、最近では、レンズ付きフィルムユニットも、画面サイズや撮影レンズの焦点距離などについて、色々な種類のものが開発されており、多用な機能の製品が求められる状況にある。
【０００４】
このように多様化したレンズ付きフィルムユニットにおいては、使用される撮影レンズが長焦点距離のものである場合には、レンズのピント位置を製造時に正確に設定することが求められるようになっており、そのために、レンズの位置設定機構として種々の工夫をすることが必要になる。例えば、特開平7-261069号公報においては、望遠レンズを備えたレンズ付きフィルムユニットの製造段階で撮影レンズのピントを精密に設定し、その設定位置に該レンズを固定保持する機構が開示されている。しかし、このようなピント位置設定機構を備えたレンズ付きフィルムユニットにおいても、ピント位置設定後は、撮影レンズはその設定位置に固定されるため、複数のピント設定位置に撮影レンズを移動させることはできない。このような状況を考慮して、レンズ付きフィルムユニットその他の簡易カメラにおいて、例えば単玉又は２枚構成レンズのような単純な構成の撮影レンズを使用しながら、しかも、接近撮影や標準撮影、遠景撮影などの複数の異なる状況における撮影に適応でき、それぞれの場合において適切にピントが合った写真撮影を行うことができるような構造が望まれる。また、焦点距離が短い撮影レンズを使用して、被写体からの距離が例えば６０ｃｍ以内といった極めて接近した距離での近接撮影ができるように構成し、近接撮影時には正面側から撮影視野を確認して撮影者が自分自身を視野内に含めた構図で写真撮影ができるようにする反射型ファインダーを前面に出し入れ可能に設けたレンズ付きフィルムユニットも、特開平10-200834号公報により提案されている。
このように、簡単な構造で廉価であることが特徴のレンズ付きフィルムユニットも、機能の多様化が進んでいるのが実状である。固定焦点距離の撮影レンズを備えたレンズフィルムユニットにおいて、撮影レンズのピント設定位置を通常撮影位置と近接撮影位置に切り換え可能に構成する場合には、撮影レンズを光軸方向に移動可能にすることが必要になる。撮影レンズの焦点距離を例えば標準と望遠の間で切り換え可能に構成する場合にも、同様に、レンズの光軸方向の移動が必要である。この場合には、撮影レンズの引っ込み位置と繰り出し位置の間で、撮影レンズ絞りの外縁と焦点面であるフィルム面の露光領域の外周とを結ぶ撮影周辺光線の画角が変化する。同様な状況は、また、撮影レンズ絞りの絞り径を可変にした場合にも生じる。すなわち、撮影レンズ絞りが光軸方向の所定位置にあるとした場合における該撮影レンズ絞りの絞り径を「実効絞り径」と呼ぶことにすると、撮影レンズの光軸方向の移動により、この実効絞り径が変化する。同様に、撮影レンズ絞りの絞り径を変更した場合にも実効絞り径が変化する。
一方、レンズ付きフィルムユニットは撮影機能を持つものであるため、撮影レンズ絞りからフィルム面の露光領域に至る光路において、有害光の内面反射によるゴーストや、フレアーの発生を防止する目的で、余分な周辺光を遮断する遮光枠を設けることが必要になる。上述のように実効絞り径が可変となった光学系を有するレンズ付きフィルムユニットにおいては、遮光枠は、各々の実効絞り径に対応する撮影光の周辺光路に合わせて調節可能に形成することが理想的である。しかし、このような調節可能な遮光枠構造は、複雑でコスト高の原因になる。
【０００５】
【発明が解決しようとする課題】
本発明は、撮影レンズのピント設定位置変更や焦点距離変更のために撮影レンズが光軸方向に移動可能に構成されているか、或いは、撮影レンズ絞りの絞り径が可変に構成されており、その結果、撮影レンズ絞りの実効絞り径が可変になった撮影光学系を有するレンズ付きフィルムユニットにおいて、有害光の内面反射によるゴーストやフレアーの発生を防止することができ、しかも周辺光量の低下も実質的に生じない、構造簡単な固定遮光枠を提供することを課題とする。
【０００６】
【課題を解決するための手段】
上記課題を解決するため、本発明によるレンズ付きフィルムユニットは、撮影レンズと、撮影レンズに付随して設けられた撮影レンズ絞りとを備え、ユニット本体にシャッタを含む撮影機構が組み込まれる。ユニット本体内には、写真フィルムの一端を係止した回転自在なスプール軸を有するパトローネを収納するためのパトローネ収納室と、パトローネから引き出して形成した未露光写真フィルムのロールを収納するためのフィルムロール収納室とが形成され、製造時にパトローネと該パトローネから引き出された未露光写真フィルムのロールがそれぞれ前記パトローネ収納室と前記フィルムロール収納室に予め装填される。未露光フィルム部分がフィルムロール室とパトローネ室の間で露光領域を定める露光枠により位置決めされ、撮影ごとにスプール軸を回転させて露光済みの写真フィルムをパトローネに巻き込むように構成される。さらに、撮影レンズ絞りと露光枠の間に周辺光線を遮断するための固定遮光枠が配置される。本発明の特徴として、撮影レンズ絞りの実効径が可変に形成され、該実効径が大きい場合の撮影レンズ絞りから前記露光領域の外周に至る撮影光の画角が、実効径が小さい場合の撮影光の画角より小さくなるように構成される。そして、露光領域の周辺部の所定割合を非プリント領域とし、撮影レンズ絞りの実効径が大きい状態における該非プリント領域の内周縁と撮影レンズ絞りとを結ぶ周辺光線と、撮影レンズ絞りの実効径が小さい状態における該撮影レンズ絞りと露光領域の外周とを結ぶ周辺露光光線との間の交差点より撮影レンズ絞り側に固定遮光枠が配置される。この遮光枠は、撮影レンズ絞りの実効径が大きい状態において非プリント領域の内周縁と撮影レンズ絞りとを結ぶ周辺光線より外側の撮影光を一部又は全部遮断する大きさとする。
ここで、撮影レンズ絞りの実効径の変化は、撮影レンズの光軸方向の移動により生じるようにすることができる。この場合、撮影レンズを固定焦点距離レンズとし、撮影レンズの光軸方向の移動はピント設定位置変更のためのものとすることができる。また、撮影レンズを可変焦点距離レンズとし、撮影レンズの光軸方向の移動は焦点距離変更のためのもとすることができる。さらに、撮影レンズ絞りの実効径は、該撮影レンズ絞りの絞り径を変更することによって変更することもできる。
本発明の他の態様においては、レンズ対フィルムユニットは、固定焦点距離の撮影レンズと、撮影レンズに付随して設けられた固定絞り径の撮影レンズ絞りとを備え、ユニット本体にシャッタを含む撮影機構が組み込まれる。ユニット本体内には、写真フィルムの一端を係止した回転自在なスプール軸を有するパトローネを収納するためのパトローネ収納室と、パトローネから引き出して形成した未露光写真フィルムのロールを収納するためのフィルムロール収納室とが形成される。そして、製造時にパトローネと該パトローネから引き出された未露光写真フィルムのロールがそれぞれパトローネ収納室とフィルムロール収納室に予め装填される。未露光フィルム部分がフィルムロール室とパトローネ室の間で露光領域を定める露光枠により位置決めされ、撮影ごとにスプール軸を回転させて露光済みの写真フィルムをパトローネに巻き込むように構成される。さらに、撮影レンズ絞りと露光枠の間に周辺光線を遮断するための固定遮光枠が配置される。本発明のこの態様においては、撮影レンズがピント設定位置切り換えのため光軸方向に移動可能で、その結果、該撮影レンズが繰り出し側位置にある場合の撮影レンズ絞りから露光領域の外周に至る撮影光の画角が、撮影レンズが引っ込み側位置にある場合の撮影光の画角より小さくなるように構成される。露光領域の周辺部の所定割合を非プリント領域とし、撮影レンズの繰り出し側位置における該非プリント領域の内周縁と撮影レンズ絞りとを結ぶ周辺光線と、撮影レンズの引っ込み側位置における該撮影レンズ絞りと露光領域の外周とを結ぶ周辺露光光線との間の交差点より撮影レンズ絞り側に固定遮光枠が配置される。この遮光枠は、撮影レンズの繰り出し側位置において、該非プリント領域の内周縁と撮影レンズ絞りとを結ぶ周辺光線より外側の撮影光を一部又は全部遮断する大きさとする。
【０００７】
本発明によるこのレンズ付きフィルムユニットにおいては、撮影レンズ絞りの実効絞り径が大となる位置に光学系が切り換えられる場合に、実効径が大きい状態における撮影光線のうち、露光領域周辺の非プリント領域に到達する光は、遮光枠により一部が遮断され、光量が不足することになるが、この部分は、プリント段階で画面からカットされる部分であるため、実質的に問題とはならない。
【０００８】
また、撮影レンズ絞りの実効絞り径が小となる位置に光学系が切り換えられる場合に、実効径が小さい状態における撮影光は、撮影レンズ絞りと露光領域の周辺縁部とを結ぶ線より外側の光線が遮光枠を通過することになる。しかし、撮影レンズ絞りの実効径が大きい状態において露光領域の周辺縁部に到達する撮影光を通すように遮光枠の大きさが定められている場合に比べると、その光量は制限される。
【０００９】
したがって、撮影レンズ絞りの実効絞り径が小となる位置に光学系が切り換えられた状態において、遮光枠を通過する露光領域外の光線量は僅かとなり、実質的にゴーストやフレアーの問題は生じない。
【００１０】
また、必要に応じて、前述の光線の交差点よりフィルム面寄りに第２の遮光枠を設け、この第２の遮光枠を、撮影レンズ絞りの実効絞り径が小となる位置に光学系が切り換えられた状態において、撮影レンズ絞りと露光領域周辺縁部とを結ぶ撮影光路より外側の光線を遮断する大きさとすることにより、有害光線を完全に遮断することができる。
【００１１】
【発明の実施の形態】
図１は、本発明を実施したレンズ付きフィルムユニット１の一例を示す分解斜視図である。レンズ付きフィルムユニット１は、本体部３ａと前カバー３ｂと裏蓋３ｃとからなるユニット本体３を備える。図２に示すように、本体部３ａと裏蓋３ｃの間には、両端部にそれぞれパトローネ収納室５とフィルムロール収納室７が形成される。本体部３ａには、中央部に露光開口９が形成されている。レンズ付きフィルムユニット１の製造段階において、パトローネ１１入りの写真フィルムが用意され、パトローネ１１から未露光のフィルム１１ａが引き出されてフィルムロール１１ｂが形成される。未露光フィルム１１ａのパトローネ側の端は、該パトローネ１１内に回転自在に配置されたスプール軸１１ｃに固定される。
【００１２】
パトローネ１１はパトローネ収納室５内に収納され、フィルムロール１１ｂはフィルムロール収納室７に収納される。その後で、裏蓋３ｃが本体部３ａの裏側に取り付けられ、光密に固定される。別の実施形態としては、フィルムロール室７に巻き取り軸（図示せず）を設け、フィルムパトローネ１１をパトローネ室５内に装填した後、フィルム１１ａのリーダー部を該巻き取り軸に取り付けて裏蓋３ｃを閉じ、ユニット本体３の組立後に巻き取り軸を駆動回転させて、フィルムパトローネ１１から未露光フィルム１１ａを引き出し、巻き取り軸にロール状に巻き取るようにしてもよい。裏蓋３ｃの内面には、露光開口９の後側に対応する位置にフィルム受け部３ｄが設けられ、パトローネ１１とフィルムロール１１ｂの中間位置にある未露光フィルム１１ａは、本体部３ａの裏側に形成されたフィルム支持部３ｅとこのフィルム受け部３ｄの間で保持される。
本体部３ａの前面には、レンズ保持筒１３ａを有するレンズホルダー１３が固定される。レンズ保持筒１３ａは、本体部３ａに形成した露光開口９と同軸に配置される。レンズホルダー１３と本体部３ａの間には、シャッタ機構を構成するセクター羽根１５が配置される。このセクター羽根１５を含むシャッタ機構は、フィルム１１ａの巻き上げ操作によりチャージされ、ユニット本体３の上面に設けられるシャッタレリーズボタンを押すことでレリーズされる。このシャッタ機構及びその作動機構はレンズ付きフィルムユニットの分野で周知であるので、詳細な説明は省略する。パトローネ１１へのフィルムの巻き上げのために、本体部３ａの上面には、パトローネ収納室５の上方位置にフィルム巻き上げノブ１１ｄが回転自在に設けられ、このフィルム巻き上げノブ１１ｄがパトローネ１１のスプール軸１１ｃに結合される。
【００１３】
レンズ保持筒１３ａは円筒形であり、レンズホルダー１３と一体にプラスチック材料により成型される。レンズ保持筒１３ａ内には、レンズ保持枠１７が回転及び軸方向移動自在に配置される。レンズ保持枠１７には、撮影レンズ１９が固定される。このレンズ１９は、単玉又は２枚構成の固定焦点距離レンズである。レンズ保持枠１７内には、レンズ１９より後側に、撮影レンズ絞り２１が設けられる。本例では、撮影レンズ１９は焦点距離が１３５mmフィルム換算で３０mm程度の標準レンズであり、撮影レンズ絞り２１は、標準撮影用のＦ１０程度の絞り値を有する。
【００１４】
図示した実施態様のレンズ付きフィルムユニット１は、ストロボ装置を内蔵する形式である。ストロボ装置２３は、ストロボ発光部２３ａと該ストロボ発光部２３ａの発光を制御する制御回路を備えたプリント基板２３ｂと充電用コンデンサ２３ｃを備える。ストロボ発光部２３ａと充電用コンデンサ２３ｃは、プリント基板２３ｂ上に支持される。本体部３ａには、露光開口９の上方にファインダー用対物レンズ２５が嵌め込まれたファインダー窓２７が形成されており、前側から本体部３ａを見たときストロボ発光部２３ａがファインダー窓２７より右側に位置するような関係で、プリント基板２３ｂが本体部３ａに固定される。
【００１５】
ストロボ装置２３のプリント基板２３ｂの前方には、ストロボ充電用スイッチ板２９が配置される。スイッチ板２９は、受け板２９ｂを介してプリント基板２３ｂ上に配置される。スイッチ板２９は、上下方向に摺動的に動くことができ、充電スイッチつまみ２９ａが一体に設けられ、このスイッチつまみ２９ａを充電位置に置くことによってストロボ装置２３のコンデンサ２３ｃが充電される。コンデンサ充電用の電池３０は、レンズ付きフィルムユニットの技術分野で周知のように、図３に示すユニット本体３の下部に収納される。
【００１６】
本体部３ａの前面には、前カバー３ｂが取り付けられる。前カバー３ｂは、本体部３ａの前面のほぼ全体を覆うように形成されており、本体部３ａのファインダ−窓２７に重なるファインダー窓２７ａと、ストロボ発光部２３ａを前面に露出させるためのストロボ窓２３ｄと、スイッチ板２９上のスイッチつまみ２９ａをそのストローク範囲でユニット本体３の前面に露出させるためのストロボスイッチ開口２９ｃと、レンズホルダー１３のレンズ保持筒１３ａを通すためのレンズ開口１３ｂとを有する。前カバー３ｂの前面には、ファインダー窓２７ａの横に並んで、近接撮影時の前方からの撮影視野確認用の反射ファインダーとなる反射ミラー３２が配置される。図示した実施形態では、反射ミラー３２は、光沢を有する金属板により形成される。図２及び図３に示すように、レンズ保持筒１３ａは、前カバー３ｂのレンズ開口１３ｂを通って前方に延びる。
【００１７】
前カバー３ｂの前面には外カバー３１が取り付けられる。外カバー３１には、前カバー３ｂのファインダー窓２７ａと重なる位置にファインダー窓２７ｂが形成され、反射ミラー３２と重なる位置に該反射ミラー３２を前方に露出するための窓３２ａが形成されている。また、レンズ保持筒１３ａの前方に位置して撮影光を通すための撮影用露光開口１３ｃを有する。外カバー３１とレンズ保持枠１７との間には、コイルスプリング１９ａが配置される。このコイルスプリング１９ａは、一端がレンズ保持枠１７に、他端が外カバー３１の裏面に、それぞれ係合して、レンズ保持枠１７をレンズ保持筒１３ａに向けて弾性的に押す。外カバー３１と前カバー３ｂの間に横方向に移動可能な切換枠部材３３が配置される。図４は、この実施形態によるレンズ付きフィルムユニット１を正面からみた外観図である。
図４に示すように、反射ミラー３２は、ファインダー窓２７に対して、レンズ付きフィルムユニットに向かって左側、すなわち、レンズ付きフィルムユニットから被写体に向かって右側に配置されている。
【００１８】
図５及び図６に、本発明を実施した撮影レンズのピント設定位置切換機構の詳細を示す。レンズホルダー１３から前方に延びるレンズ保持筒１３ａは、前面側に向いたカム面３５を有する。図示した実施態様では、このカム面３５は、レンズ１９の引っ込み位置を定める第１面３５ａと、レンズ１９の突出位置を定める第２面３５ｂ、及び第１面３５ａと第２面３５ｂの間を結ぶ斜面３５ｃとから構成される。カム面３５は、レンズ保持筒１３ａの周方向に複数個所（例えば３個所）等間隔に形成される。
【００１９】
レンズ保持枠１７には、複数の個所（例えば、周方向に等間隔に３本）のカム従動脚１７ａが光軸方向後向きに突出するように設けられる。このカム従動脚１７ａが、レンズ保持筒１３ａのカム面３５に係合する。レンズ保持枠１７は、前面の周辺に平坦な環状台部１７ｂを有し、この環状台部１７ｂにコイルスプリング１９ａの後端が着座する。レンズ保持枠１７のカム従動脚１７ａは、コイルスプリング１９ａにより、レンズ保持筒１３ａのカム面３５に弾性的に押し付けられる。図７及び図８に、コイルスプリング１９ａの取付構造を示す。前カバー３１は、撮影用露光開口１３ｃを囲み後面から後方に突出するほぼ筒状のスプリング受け部３１ｂを備え、コイルスプリング１９ａの前端がこのスプリング受け部３１ｂに嵌合する。スプリング受け部３１ｂの外面の直径方向寸法は、コイルスプリング１９ａの端部のコイル部内径より僅かに大きい。したがって、コイルスプリング１９ａは、端部を径方向に拡げた状態で、スプリング受け部３１ｂに嵌合させられる。この構成により、組立に際してコイルスプリング１９ａを外カバー３１上に仮保持することができる。この仮保持の特徴は、組立作業における部品保持を容易にする、という利点をもたらす。
図８は又、反射ミラー３２が外カバー３１に取り付けられる構造を示す。外カバー３１に形成された反射ミラー用の窓３２ａの両側には一対の取付ピン３１ｃが形成され、反射ミラー３２の両側の縁部にはこれらの取付ピン３１ｃに対応する切り欠き３２ｂが形成される。反射ミラー３２は、該反射ミラー３２の切り欠き３２ｂを取付ピン３１ｃに嵌合させることにより、外カバー３１に取り付けられる。
【００２０】
図５に示すように、切換部材３３は、中央に横長の開口３３ａを有する枠部材として構成される。切換部材３３は、レンズ保持筒１３ａが開口３３ａ内に挿入される状態で、外カバー３１と前カバー３ｂの間に配置される。レンズ保持枠１７は、半径方向上向きに突出する従動ピン１７ｃを有する。切換部材３３は、その後方に突出する一対のレンズ駆動ピン３３ｂを有し、このレンズ駆動ピン３３ｂの間にレンズ保持枠１７上の従動ピン１７ｃが挟まれる。切換部材３３の下部には切換つまみ３３ｃが形成されており、この切換つまみ３３ｃが図４に示すように外カバー３１に形成したスリット３１ａから前方に突出する。したがって、この切換つまみ３３ｃを操作することによって切換部材３３を横方向に移動させることができる。切換部材３３が横方向に移動すると、該切換部材３３上のレンズ駆動ピン３３ｂがレンズ保持枠１３ａ上の従動ピン１７ｃに係合してレンズ保持枠１３ａを回転させる。このレンズ保持枠１３ａの回転により、カム従動脚１７ａがカム面３５上を摺動してカム作用を受け、レンズ保持枠１３ａが光軸方向に移動する。このカム作用を図９の展開図で示す。
【００２１】
切換部材３３が被写体に向かって右側の位置に設定されると、カム従動脚１７ａがカム面３５の第１面３５ａに係合するようになり、カム従動脚１７ａがこの位置にあるときには、レンズ保持枠１３ａ及び撮影レンズ１９が後方位置に置かれ、撮影レンズ１９は、遠距離、例えば４ｍの距離にピント設定がされた通常撮影のためのピント位置にある。逆に、切換部材３３が被写体に向かって左側の位置に設定され、カム従動脚１７ａがカム面３５の第２面３５ｂ上にあると、レンズ保持枠１３ａ及び撮影レンズ１９が前方位置に前進させられ、近距離、例えば６０ｃｍの距離にピント設定された近接撮影のためのピント位置になる。
レンズ保持筒１３ａの前面の上部には、従動ピン１７ｃを案内する案内斜面３５ｄが形成される。切換部材３３に形成される一対のレンズ駆動ピン３３ｂは、切換部材３３の移動方向に所定の間隔をもって配置される。これらレンズ駆動ピン３３ｂの間隔は、レンズ保持枠１７上の従動ピン１７ｃの直径より大きく設定される。切換部材が正面から後方にみて右側に動かされるとき、すなわち、図５において矢印のＡ方向に動かされるとき、従動ピン１７ｃは、正面から後方にみて左側のレンズ駆動ピン３３ｂにより駆動され、案内斜面３５ｄに沿って左方向に移動する。切換部材３３が右方向移動ストロークの末端位置に達したとき、正面から後方にみて右側のレンズ駆動ピン３３ｂは、対をなすレンズ駆動ピン３３ｂの間隔に対応して定まる所定距離だけ従動ピン１７ｃから離れて位置する。このときのレンズ駆動ピン３３ｂと従動ピン１７ｃの位置関係を、図１０に実線で示す。
次に、切換部材３３が反対方向に移動すると、正面から後方にみて右側にあるレンズ駆動ピン３３ｂは、切換部材３３が上述した所定距離だけ左方向に移動するまで、従動ピン１７ｃに接触しない。このストローク区間は、切換部材３３の移動開始時の空動き区間となる。切換部材３３がこの空動き区間を移動した後、正面から後方にみて右側にあるレンズ駆動ピン３３ｂが従動ピン１７ｃに係合して該従動ピン１７ｃを左方向に切換部材３３の移動ストロークの末端位置まで駆動する。このときのレンズ駆動ピン３３ｂと従動ピン１７ｃの位置関係を、図１０に一点鎖線で示す。図１０から分かるように、従動ピン１７ｃの移動ストロークＳは、対をなすレンズ駆動ピン３３ｂの間隔に相当する距離だけ切換部材３３の移動ストロークより小さい。
組立に際しては、従動ピン１７ｃを、その作動時の移動ストロークＳの範囲の外側に設置することができる。この位置を図１０に２点鎖線で示す。組立時に従動ピン１７ｃを仮保持するために、レンズ保持筒１３ａに弾性をもった押さえ腕１３ｂが設けられる。この押さえ腕１３ｂは、レンズ保持筒１３ａの平面部３５ｅに対して所定の間隔で対向するように設けられ、押さえ腕１３ｂに対向するレンズ保持筒の面には仮止め用のクリック１３ｃが形成される。従動ピン１７ｃが図１０に２点鎖線で示す位置にあるとき、該従動ピン１７ｃは図１１に(a)で示す位置にあり、図１２に示すように、押さえ腕１３ｂとクリック１３ｃの間で保持される。この状態では、レンズ保持枠１７はレンズ保持筒１３ａ上に保持されており、脱落の危険なしに組立位置まで移送することができる。
この位置では、図１０に２点鎖線で示すように、従動ピン１７ｃは対をなすレンズ駆動ピン３３ｂの間にあり、組立後に切換部材３３が最初に移動させられたとき、従動ピン１７ｃは正面から後方にみて左側のレンズ駆動ピン３３ｂにより駆動され、押さえ腕１３ｂとクリック１３ｃの間の拘束から解除される。その後は、上述のように、切換部材３３の移動ストロークより小さい移動ストロークで従動ピン１７ｃが移動するため、該従動ピン１７ｃが押さえ腕１３ｂの下にくることはない。
【００２２】
本発明の図示した実施形態では、図１及び図５に示すように、切換部材３３の上部にファインダー枠４３が一体に形成されている。ファインダー枠４３は、横方向のほぼ中央部に、切換部材３３が被写体に向かって右側位置にある通常撮影状態でユニット本体３の本体部３ａのファインダー窓２７に重なる位置にくる開口４３ａを有する。被写体に向かって開口４３ａの右側には、近接撮影時の撮影視野を示すための近接視野枠４３ｂが形成されている。開口４３ａを挟んで近接視野枠４３ｂの反対側は光量制限部４３ｃであり、この光量制限部４３ｃは、切換部材３３が近接撮影位置にあるとき、ストロボ発光部２３ａの両側部のみを残して、大部分を覆う。このファインダー枠４３は、切換部材３３の横方向移動に伴ってユニット本体３の前カバー３ｂと外カバー３１の間を前カバー３ｂの前面に沿って横方向に移動する。
【００２３】
図１３は、切換部材３３が通常撮影位置にあるときのファインダー枠４３の配置を示す水平断面図であり、図８は、その正面図である。ファインダー枠４３の開口４３ａが前カバー３ｂのファインダー窓２７ａに重なっており、撮影者は、ファインダー窓２７に固定したファインダー用対物レンズ２５を通して被写体を見て撮影の構図を定める。このときは、ファインダー枠４３の光量制限部４３ｃはストロボ発光部２３ａとファインダー窓２７の間にあり、ストロボ発光部２３ａは、全体が前面に露出された状態にある。また、ファインダー枠４３の近接視野枠４３ｂは、反射ミラー３２の裏側の位置にある。
【００２４】
ここで、切換部材３３を被写体に向かって左側方向に動かすと、前述したように撮影レンズ１９が前方に繰り出されて近接撮影状態となり、同時に、ファインダー枠４３が同方向に移動し、図４に示す状態になる。この位置では、近接視野枠４３ｂがファインダー窓２７ｂ内にあり、撮影者はこの近接視野枠４３ｂを介して近接撮影時の撮影範囲を確認することができる。また、撮影者が自分を撮影範囲に入れて撮影しようとする場合には、レンズ付きフィルムユニット１の前面からミラー３２により撮影範囲を確認することができる。さらに、この近接撮影位置では、ファインダー枠４３に形成された光量制限部４３ｃが前カバー３ｂのストロボ窓２３ｄの前面にあり、ストロボ発光部２３ａの両側のみを残してその大部分を覆うので、ストロボ装置からの光は光量制限部４３ｃの両側を通ってしか前方に射出されず、ストロボ光の光量が制限される。したがって、この構成により、近接撮影時の露出過剰状態を回避できる。この実施形態では、近接視野枠４３ｂに近接撮影時のターゲットとなるターゲットマーク４５が設けられる。このターゲットマーク４５は、近接撮影時の撮影画面範囲の中央部分を撮影者に示すものである。
【００２５】
図１４及び図１５は、レンズ付きフィルムユニットの撮影光学系を拡大して示す水平断面図及び垂直断面図である。裏蓋３ｃのフィルム受け部３ｄは、撮影用フィルムを結像面に位置決めする。本体部３ａの裏側上下部に形成されたフィルム支持部３ｅと両側部に形成された側枠部３ｆがフィルム面上の露光領域Ａを定める露光枠となる。本体部３ａに形成した露光開口９が遮光枠を構成する。
図１６に、フィルム１１ａの露光領域Ａとプリント領域Ｂを示す。露光領域Ａのプリント領域Ｂより外側の領域Ｃは非プリント領域である。
ＡＰＳフィルムの場合には、レッドブック規格により、露光領域Ａとプリント領域Ｂとが規定されている。１３５mmフィルムでは、ＩＳＯ規格により露光領域が画面寸法として規定されているが、プリント領域についての規定はない。しかし、この場合においても、印画紙サイズに対する推奨プリント倍率があり、この推奨プリント倍率からの逆算でプリント領域を定めることができる。この他にも、適当な手法により、プリント領域を定めることができる。
図１４において、光軸を表す中心線Ｏより下側は、撮影レンズ１９が引っ込み側位置ある状態を示す。図１５においては、中心線Ｏより上側が撮影レンズ１９の引っ込み側位置を示す。この位置において、撮影レンズ絞り２１の縁と露光領域Ａの外周縁部とを結ぶ光路をａで示す。撮影レンズ１９の繰り出し側位置は、図１４においては中心線Ｏより上側に、図１５においては中心線Ｏより下側に、それぞれ示されている。この撮影レンズ１９の繰り出し位置における撮影レンズ絞り２１の縁と露光領域Ａの外周縁部とを結ぶ光路をｂで示す。これら光路ａ、ｂが、撮影レンズ１９の繰り出し位置における撮影光線の最外側を示す。また、撮影レンズ１９の繰り出し位置における撮影レンズ絞り２１の縁とプリント領域Ｂの内周縁部とを結ぶ光路をｃで示す。撮影レンズ１９の繰り出し側位置における光路ｂにより定まる画角は、引っ込み側位置における光路ａにより定まる画角より小さい。撮影レンズ１９の繰り出し側位置におけるプリント領域の縁部に至る光路ｃは、撮影レンズ１９の引っ込み側位置における光路ａと交差点ｄにおいて交わる。
【００２６】
遮光枠を形成する本体部３ａの露光開口９は、光路ａと光路ｃの間の交差点ｄよりも撮影レンズ絞り２１側に寄った位置にある。この露光開口９は、光路ｃにほぼ合致する大きさであり、撮影レンズ１９の繰り出し側位置において、プリント領域Ｂの範囲内にある撮影光線は通過させるが、それより外側の非プリント領域Ｃに向かう光線の一部は遮断する。露光開口９は、図示の大きさより若干大きくし、非プリント領域に向かう撮影光の一部を通すようにしてもよい。
撮影レンズ１９の引っ込み側位置における撮影光線の光路ａは、露光開口９より内側にあるため、撮影レンズ絞り２１を通り露光領域Ａより外側の領域に向かう光線が露光開口９を通過する。しかし、露光開口９は、撮影レンズ１９の繰り出し側位置において非プリント領域Ｃに向かう光線の少なくとも一部を遮断する大きさとしてあるため、撮影レンズ１９の引っ込み側位置において露光開口９を通り露光領域Ａより外側の領域に向かう光の量もその分だけ減少する。したがって、撮影レンズ１９の引っ込み側位置においても、内部反射によるゴーストやフレアーの発生を露光開口９により或る程度抑制することができる。
【００２７】
また、本発明のこの実施例においては、露光開口９よりもフィルム面側に、光軸方向に間隔をもって２つの固定遮光枠９ａ、９ｂが配置されている。図１４から分かるように、遮光枠９ａ、９ｂは、撮影光線の左右側では、撮影レンズ１９の引っ込み側位置における露光領域Ａの外縁部に向かう光路ａにほぼ合致する大きさである。そして、これら遮光枠９ａ、９ｂは、撮影レンズ１９の繰り出し側位置における光路ｃを遮断することなく、プリント領域Ｂに向かう光線を全て通過させる。さらに、固定遮光枠９ｂは、図１５に示すように、撮影光線の上下側において、撮影レンズ１９の引っ込み側位置における露光領域Ａの外縁部に向かう光路ａにほぼ合致する大きさである。したがって、これら遮光枠９ａ、９ｂを設けることによって、撮影レンズ１９の引っ込み側位置における内部反射による有害光をほぼ完全にカットすることができる。
【００２８】
図１４及び図１５から分かるように、撮影レンズ１９と絞り２１を光軸方向に移動させることは、光軸方向の所定位置に配置した絞りの絞り径を可変にすることと同義である。すなわち、例えば図１４及び図１５において、撮影レンズ１９の引っ込み側位置における撮影レンズ絞り２１の位置に光軸方向に移動不能に絞りを配置し、この撮影レンズ絞りの絞り径を図１４に示すＳ1 とＳ2 の間で可変にすることと同義である。撮影レンズ１９を引っ込み側位置から繰り出し側位置に移動させることは、実効的には、絞り値がＳ1 からＳ2 に切り換えられること同義である。したがって、本発明は、撮影レンズを光軸方向に移動させる構成の光学系だけでなく、撮影レンズ絞りの絞り値が可変な光学系にも適用できるものである。この場合、可変絞りの構造としては、公知のものを採用することができる。
【図面の簡単な説明】
【図１】  本発明を実施したレンズ付きフィルムユニットの全体を示す分解斜視図である。
【図２】  図１に示すレンズ付きフィルムユニットの水平断面図である。
【図３】  図１に示すレンズ付きフィルムユニットの垂直断面図である。
【図４】  図１に示すレンズ付きフィルムユニットの近接撮影状態における正面図である。
【図５】  本発明の一実施形態における撮影レンズのピント設定位置切換機構における切換部材の配置を示す分解斜視図である。
【図６】  本発明の一実施形態における撮影レンズのピント設定位置切換機構を示す分解斜視図である。
【図７】  本発明の一実施形態における撮影レンズの支持機構を示す拡大断面図である。
【図８】  レンズ押さえのためのコイルスプリングの取り付け構造を示すために前カバーを裏側からみた斜視図である。
【図９】  撮影レンズのピント設定位置切換機構におけるカム機構を示す展開図である。
【図１０】本発明の実施形態における撮影レンズのピント設定位置切換機構を示す正面図である。
【図１１】本発明の実施形態における撮影レンズのピント設定位置切換機構における従動ピンの動きを示す概略図である。
【図１２】撮影レンズのピント設定位置切換機構の組立時の状態を示す斜視図である。
【図１３】本発明の一実施形態におけるファインダー機構を示す水平断面図である。
【図１４】撮影光学系の詳細と遮光枠の配置を示すレンズ付きフィルムユニットの水平断面図である。
【図１５】撮影光学系の詳細と遮光枠の配置を示すレンズ付きフィルムユニットの垂直断面図である。
【図１６】写真撮影フィルムにおける露光領域とプリント領域を示す正面図である。
【符号の説明】
３・・・ユニット本体、３ａ・・・本体部、３ｂ・・・前カバー、
３ｃ・・・裏蓋、５・・・パトローネ室、７・・・フィルムロール室、
９・・・露光開口、１１・・・フィルムパトローネ、
１３・・・レンズホルダー、１３ａ・・・レンズ保持筒、
１７・・・レンズ保持枠、１９・・・撮影レンズ、２１・・・第１絞り、
２５・・・ファインダー対物レンズ、３２・・・反射ミラー、
３３・・・切換部材、３３ａ・・・開口、３３ｂ・・・レンズ駆動ピン、
３３ｅ・・・第２絞り、３５・・・カム面、４３ｂ・・・近接視野枠、
４３ｃ・・・光量制限部、４７・・・表示部材、ａ、ｂ、ｃ・・・光路、
Ａ・・・露光領域、Ｂ・・・プリント領域、Ｃ・・・非プリント領域、
【図１】
0003778408.tif 000002
【図２】
0003778408.tif 000003
【図３】
0003778408.tif 000004
【図４】
0003778408.tif 000005
【図５】
0003778408.tif 000006
【図６】
0003778408.tif 000007
【図７】
0003778408.tif 000008
【図８】
0003778408.tif 000009
【図９】
0003778408.tif 000010
【図１０】
0003778408.tif 000011
【図１１】
0003778408.tif 000012
【図１２】
0003778408.tif 000013
【図１３】
0003778408.tif 000014
【図１４】
0003778408.tif 000015
【図１５】
0003778408.tif 000016
【図１６】
0003778408.tif 000017